(57)【要約】【課題】使用者が便鉢面に近づいて使用する際に衣服などがスプレッダーや便鉢面に接触しにくく、使用者が便鉢面に安心して近づくことができる小便器を提供する。【解決手段】小便器は、便鉢１０と、この便鉢１０に取り付けられ、便鉢面１０Ａを洗浄する洗浄水を吐水するスプレッダー５０と、を備えている。便鉢１０は、施工された状態の上方から見た上面視において、スプレッダー５０を隠蔽する隠蔽部１５を有しており、施工された状態の左右中央断面視において、スプレッダー５０の最前端５０Ｘと隠蔽部１５の最も後方に位置する前端との水平方向の距離Ｌ１が、スプレッダー５０の最前端５０Ｘとこの最前端から前後水平方向に直線状に延びた第１仮想線Ｉ１が便鉢１０の左右前端に交差する第１交点Ｐ１との距離Ｌ２の約１／８である。【選択図】図４
2020193525.tif 000002
【特許請求の範囲】
【請求項１】
便鉢と、
この便鉢に取り付けられ、便鉢面を洗浄する洗浄水を吐水する吐水具と、
を備えた小便器であって、
前記便鉢は、施工された状態の上方から見た上面視において、前記吐水具を隠蔽する隠蔽部を有しており、
施工された状態の左右中央断面視において、前記吐水具の最前端と前記隠蔽部の最も後方に位置する前端との水平方向の距離が、前記吐水具の最前端とこの最前端から前後水平方向に直線状に延びた第１仮想線が前記便鉢の左右前端に交差する第１交点との距離の半分以下である小便器。
【請求項２】
前記隠蔽部は、施工された状態において、左右方向に延びた凸部である請求項１に記載の小便器。
【請求項３】
前記隠蔽部は前記便鉢面からの突出量が左右中央部よりも左右両端部の方が小さい請求項２に記載の小便器。
【請求項４】
前記隠蔽部は水平に形成された水平面を具備する下面を有している請求項２又は３に記載の小便器。
【請求項５】
施工された状態の上方から見た上面視において、前記便鉢の左右前端を直線状に結んだ第２仮想線の中心から前記便鉢面に向けて直線状に延びた第３仮想線と前記隠蔽部の前端とが交差する第２交点と、同じ前記第３仮想線と前記吐水具の上下方向の中心を通る水平断面における前記便鉢面とが交差する第３交点との間隔が、前記便鉢の左右中央部よりも左右両端部の方が狭い請求項１から４のいずれか１項に記載の小便器。
【請求項６】
施工された状態において、前記便鉢よりも上方で拡がり、前方に向けて斜め下方に傾斜した上壁部を備えている請求項１から５のいずれか１項に記載の小便器。
【請求項７】
前記隠蔽部は、施工された状態において、前記上面の前端縁に連続して前方に向けて斜め下方に傾斜する上側傾斜面と、この上側傾斜面の下端縁に連続して後方に向けて斜め下方に傾斜する下側傾斜面とを有している請求項２から６のいずれか１項に記載の小便器。
【請求項８】
施工された状態の左右中央断面視において、
前記便鉢の左右前端は、上下方向に直線状に延びた直線部を有しており、
この直線部上に延びた第４仮想線と前記隠蔽部の最も後方に位置する前端を通り前後水平方向に直線状に延びた第５仮想線とが交差する第４交点から前記隠蔽部の最も後方に位置する前端までの距離が、前記第４交点から前記第５仮想線上に位置する左右後端までの距離の３／５よりも小さい請求項１から７のいずれか１項に記載の小便器。
【発明の詳細な説明】
【技術分野】
【０００１】
本発明は小便器に関するものである。
【背景技術】
【０００２】
特許文献１は従来の小便器を開示している。この小便器は便鉢及び吐水具を備えている。この小便器の便鉢は、施工された状態の左右中央断面視において、便鉢面の上部が上方に向けて斜め前方に傾斜した傾斜面を有している。吐水具は便鉢面の上部に取り付けられている。この吐水具は、小便器が施工された状態における上方から見た上面視において、前端部が露出している。つまり、この吐水具は小便器の上部前端縁よりも前方に突出して便鉢に取り付けられている。この小便器は、吐水具が便鉢面の上部に取り付けられているため、吐水具から吐水された洗浄水によって便鉢面を良好に洗浄することができる。
【先行技術文献】
【特許文献】
【０００３】
【特許文献１】特開２０１５−１９０２４９号公報
【発明の概要】
【発明が解決しようとする課題】
【０００４】
しかし、この小便器は、使用者が便鉢面に近づくと、上部前端縁よりも前方に突出した吐水具や便鉢面に衣服などが接触しやすい。このため、この小便器の使用者は便鉢面に近づく際に衣服などが吐水具などに接触しないように注意しなければならず、便鉢面に近づいて使用されないおそれがある。
【０００５】
本発明は、上記従来の実情に鑑みてなされたものであって、使用者が便鉢面に近づいて使用する際に衣服などが吐水具や便鉢面に接触しにくく、使用者が便鉢面に安心して近づくことができる小便器を提供することを解決すべき課題としている。
【課題を解決するための手段】
【０００６】
本発明の小便器は、便鉢と、この便鉢に取り付けられ、便鉢面を洗浄する洗浄水を吐水する吐水具と、を備えている。前記便鉢は、施工された状態の上方から見た上面視において、前記吐水具を隠蔽する隠蔽部を有しており、施工された状態の左右中央断面視において、前記吐水具の最前端と前記隠蔽部の最も後方に位置する前端との水平方向の距離が、前記吐水具の最前端とこの最前端から前後水平方向に直線状に延びた第１仮想線が前記便鉢の左右前端に交差する第１交点との距離の半分以下である。
【図面の簡単な説明】
【０００７】
【図１】実施形態１の小便器を示す斜視図である。
【図２】実施形態１の小便器を示す平面図である。
【図３】実施形態１の小便器を示す左右中央断面図である。
【図４】実施形態１の小便器の要部を示す左右中央拡大断面図である。
【図５】実施形態１の小便器の隠蔽部を示す断面図であり、（Ａ）は図２の矢視Ｗ−Ｗ断面における隠蔽部周囲の断面図、（Ｂ）は図２の矢視Ｘ−Ｘ断面における隠蔽部周囲の断面図、（Ｃ）は図２の矢視Ｙ−Ｙ断面における隠蔽部周囲の断面図、（Ｄ）は図２の矢視Ｚ−Ｚ断面における隠蔽部周囲の断面図である。
【図６】実施形態１の小便器を上方から見た上面視における上面と、スプレッダーの上下方向の中心を通る水平断面における便鉢面とを重ねて示した平面図である。
【図７】実施形態１の小便器の要部を示す左右中央拡大断面図である。
【図８】実施形態１の小便器の要部を示す左右中央拡大断面図である。
【図９】実施形態２の小便器を示す斜視図である。
【図１０】実施形態２の小便器を示す平面図である。
【図１１】実施形態２の小便器を示す左右中央断面図である。
【図１２】実施形態２の小便器の要部を示す左右中央拡大断面図である。
【図１３】実施形態２の小便器の隠蔽部を示す断面図であり、（Ａ）は図９の矢視Ｗ−Ｗ断面における隠蔽部周囲の断面図、（Ｂ）は図９の矢視Ｘ−Ｘ断面における隠蔽部周囲の断面図、（Ｃ）は図９の矢視Ｙ−Ｙ断面における隠蔽部周囲の断面図、（Ｄ）は図９の矢視Ｚ−Ｚ断面における隠蔽部周囲の断面図である。
【図１４】実施形態２の小便器を上方から見た上面視における上面と、スプレッダーの上下方向の中心を通る水平断面における便鉢面とを重ねて示した平面図である。
【図１５】実施形態２の小便器の要部を示す左右中央拡大断面図である。
【図１６】実施形態２の小便器の要部を示す左右中央拡大断面図である。
【図１７】実施形態３の小便器の要部を示す左右中央拡大断面図である。
【発明を実施するための形態】
【０００８】
次に、本発明の小便器を具体化した実施形態１〜３について、図面を参照しつつ説明する。以下の説明において、上下は小便器が施工された状態における上下であり、左右は施工された小便器を使用する際の使用者側から見た左右であり、前後は、施工された小便器を使用する際の使用者側から見て近い側が前であり遠い側が後である。
【０００９】
＜実施形態１＞
実施形態１の小便器は、図１〜図３に示すように、便鉢１０、周壁部３０、及び吐水具であるスプレッダー５０を備えている。
便鉢１０は、図３及び図４に示すように、上下方向に延びた立面部１１と、立面部１１の下部に連続した椀状部１３と、立面部１１の上部に連続した隠蔽部１５とを有している。立面部１１は、上下方向の全体において、左右中央部が後方に窪むように左右方向に湾曲した便鉢面１０Ａを形成している。また、立面部１１の左右中央部は、下部が略垂直に上下方向に延び、上部が上方に向けて斜め前方に傾斜した傾斜面となるように上下方向に僅かに湾曲した便鉢面１０Ａを形成している。また、立面部１１は左右中央の上部に前後方向に貫通した貫通孔１１Ａが形成されている。この貫通孔１１Ａの周囲の立面部１１は便鉢面１０Ａ及びその裏面が平坦に形成されている。このため、後述するスプレッダー５０の後部５３を貫通孔１１Ａに挿通して便鉢１０にスプレッダー５０を取り付ける際に良好に取り付けることができる。
【００１０】
椀状部１３は立面部１１の下部に連続し上方に向けて椀状に広がった便鉢面１０Ｂを形成している。椀状部１３は立面部１１よりも前方に突出している。椀状部１３は下端部に排水口１３Ａが形成されている。排水口１３Ａは目皿１７が上方から着脱自在に取り付けられている。
【００１１】
立面部１１及び椀状部１３によって形成された便鉢面１０Ａ，１０Ｂは、図１〜図３に示すように、左右対称位置に上下方向に延びた段部、つまり左右一対の洗浄段１９が形成されている。左右一対の洗浄段１９は、上端部がスプレッダー５０よりも下方で左右に離れて位置し、椀状部１３の前端下部に向けて斜め前方に傾斜しつつ延びている。左右一対の洗浄段１９は、スプレッダー５０から吐水された洗浄水が段差面に沿って流れ、椀状部１３の前端部で合流するように形成されている。このため、この小便器はスプレッダー５０から吐水された洗浄水は椀状部１３にも良好に流れ、便鉢面１０Ａを良好に洗浄することができる。
【００１２】
隠蔽部１５は、図３及び図４に示すように、便鉢１０の立面部１１の上端部から前方に突出した凸部で形成されている。この隠蔽部１５は便鉢１０の立面部１１の上端部に左右方向のほぼ全体に亘って左右方向に延びている。隠蔽部１５は、後述する周壁部３０の上壁部３１の前端縁に連続し、上面が上壁部３１の上面３１Ａに面一に形成されている。
【００１３】
隠蔽部１５の前端縁は、図２に示すように、上方から見た上面視において、左右中央部が左右両端部よりも後方に位置する湾曲形状である。この隠蔽部１５は、上方から見た上面視において、後述するスプレッダー５０を隠蔽している。隠蔽部１５を凸部で形成することによって、小便器のデザインがすっきりとすると共に、スプレッダー５０を隠蔽する隠蔽部１５を容易に形成することができる。
【００１４】
また、隠蔽部１５の前面１５Ａは、図３及び図４に示すように、上下方向の断面形状において、前方に膨らんだ湾曲面である。また、この隠蔽部１５の前面１５Ａの下端から便鉢面１０Ａの上端に連続する隠蔽部１５の下面は中間面１５Ｂ及び後端面１５Ｃにより構成されている。中間面１５Ｂは水平に形成された水平面である。後端面１５Ｃは後方に向けて斜め上方に膨らんだ湾曲面である。隠蔽部１５の下面の中間面１５Ｂが水平面であるため、隠蔽部１５の上面から前面１５Ａを伝った水などの液体が中間面１５Ｂで下方に落ち易く、隠蔽部１５の後端面１５Ｃ側に流れにくくなっている。このため、隠蔽部１５の下面及び便鉢面１０Ａのスプレッダー５０よりも上方において、隠蔽部１５の上面から伝う水などの液体による水垢や汚れの付着を防止することができる。
【００１５】
この隠蔽部１５は、図５（Ａ）〜（Ｄ）に示すように、便鉢１０の立面部１１が形成する便鉢面１０Ａの上端部からの突出量が左右中央部よりも左右両端部の方が小さい。詳しくは、図５（Ａ）には図２の矢視Ｗ−Ｗ断面（左右中央よりも左側の断面）の隠蔽部１５が示されており、図５（Ｂ）には図２の矢視Ｘ−Ｘ断面（矢視Ｗ−Ｗ断面よりも左側の断面）の隠蔽部１５が示されており、図５（Ｃ）には図２の矢視Ｙ−Ｙ断面（矢視Ｘ−Ｘ断面よりも左側の断面）の隠蔽部１５が示されており、図５（Ｄ）には図２の矢視Ｚ−Ｚ断面（矢視Ｙ−Ｙ断面よりも左側の断面）の隠蔽部１５が示されている。これら図５（Ａ）〜（Ｄ）に示すように、図２の矢視Ｗ−Ｗ断面における隠蔽部１５の突出量Ｔ１に比べて、図２の矢視Ｘ−Ｘ断面の隠蔽部１５の突出量Ｔ２の方が小さい。同様に、図２の矢視Ｘ−Ｘ断面の隠蔽部１５の突出量Ｔ２に比べて、矢視Ｙ−Ｙ断面の隠蔽部１５の突出量Ｔ３の方が小さい。同様に、図２の矢視Ｙ−Ｙの隠蔽部１５の突出量Ｔ３に比べて、図２の矢視Ｚ−Ｚ断面である図５（Ｄ）に示される隠蔽部１５の突出量Ｔ４の方が小さい。
【００１６】
このように、この小便器は、便鉢面１０Ａの上端部からの突出量が左右中央部よりも左右両端部の方が小さい隠蔽部１５が形成されているため、小便器を使用する際、便鉢１０の上部の左右において、隠蔽部１５が邪魔になり難く、使用者が便鉢面１０Ａの中央に向けて手を持っていきやすい。
【００１７】
周壁部３０は、図１〜図３に示すように、便鉢１０の外周縁に連続しており、上壁部３１、左右壁部３３、及び下壁部３５を有している。上壁部３１は、図３及び図４に示すように、板状であり、便鉢１０の上端縁に連続し、便鉢１０よりも上方に設けられている。また、上壁部３１は、便鉢１０よりも上方で広がり、前方に向けて斜め下方に傾斜している。このため、上壁部３１の上面３１Ａは、前方に向けて斜め下方に傾斜している。また、上述したように、隠蔽部１５の上面は、上壁部３１の上面３１Ａに連続して面一に形成されているため、上壁部３１の上面３１Ａと同じ角度で前方に向けて斜め下方に傾斜している。
【００１８】
また、上壁部３１の下面３１Ｂも前方に向けて斜め下方に傾斜しているため、便鉢１０よりも後方において上壁部３１よりも下方の空間を上下方向に広くすることができる。このため、スプレッダー５０の取付け空間及び作業空間などを便鉢１０よりも後方の上部に確保することができるため、便鉢１０の高い位置にスプレッダー５０を取り付けることができ、スプレッダー５０を隠蔽部１５で隠蔽しつつ、便鉢面１０Ａの洗浄範囲を広げることができる。
【００１９】
左右壁部３３の夫々は、上壁部３１の左右端部に連続すると共に便鉢１０の左右端の夫々に連続し、便鉢１０の立面部１１よりも左右外側に設けられている。下壁部３５は、左右壁部３３の夫々の下端部に連続し、便鉢１０の椀状部１３よりも左右及び前方に設けられている。
【００２０】
スプレッダー５０は、図１，図３，図４に示すように、便鉢１０の立面部１１の左右中央の上部に取り付けられている。スプレッダー５０は前部５１と後部５３とを有している。スプレッダー５０の前部５１は、スプレッダー５０が便鉢１０に取り付けられた状態において、前面５１Ａが円形状であり、前面５１Ａの周縁から後方に延びる周面５１Ｂを有した略円盤形状である。このスプレッダー５０は、便鉢１０に取り付けられた際の便鉢面１０Ａ側の周面５１Ｂの一部がスリット状に切り欠かれており、この切り欠かれた部分が吐水口５２を形成している。このスプレッダー５０は吐水口５２が下方に向くように便鉢１０に取り付けられる。このスプレッダー５０の前部５１は、スプレッダー５０が便鉢１０に取り付けられると、便鉢面１０Ａよりも前側に位置する。スプレッダー５０の前部５１の前面５１Ａは超音波式の人体検知センサの超音波の送受信部５１Ｃが形成されている。スプレッダー５０の後部５３は前部５１に連続して形成されている。スプレッダー５０は、便鉢１０の立面部１１の左右中央の上部に形成された貫通孔１１Ａに後部５３を挿通して便鉢１０に取り付けられると、便鉢１０よりも後方で吐水口５２から吐水される洗浄水が流通する流路を形成する接続部５４が後方に向けて突出する。接続部５４は図示しない給水管に接続される。便鉢１０の立面部１１の左右中央の上部の便鉢面１０Ａは上方に向けて斜め前方に傾斜した傾斜面であるため、スプレッダー５０は前面５１Ａが僅かに下方を向いた状態で便鉢１０に取り付けられている。このため、スプレッダー５０の最前端５０Ｘは、スプレッダー５０の前部５１の左右中央の上部前端である（図４参照）。
【００２１】
この小便器は、図４に示すように、距離Ｌ１が距離Ｌ２の約１／８である。距離Ｌ１は、小便器が施工された状態の左右中央断面視において、スプレッダー５０の最前端５０Ｘと隠蔽部１５の最も後方に位置する前端との水平方向の距離である。距離Ｌ２は、小便器の左右中央断面視において、スプレッダー５０の最前端５０Ｘとこの最前端から前後水平方向に直線状に延びた第１仮想線Ｉ１が便鉢１０の左右前端に交差する第１交点Ｐ１までの距離である。
【００２２】
このように、この小便器は、距離Ｌ１が距離Ｌ２の約１／８であるため、使用者が便鉢面１０Ａに近づきやすいと共に、使用者が便鉢面１０Ａに近づくと使用者の衣服などがスプレッダー５０や便鉢面１０Ａよりも先に隠蔽部１５に接触するため、使用者の衣服などがスプレッダー５０や便鉢面１０Ａに接触しにくく、使用者は便鉢面１０Ａに安心して近づくことができる。また、この小便器は、上方から見た上面視において、スプレッダー５０が隠蔽部１５によって隠蔽されているため、スプレッダー５０に使用者等の唾がかかりにくく、スプレッダー５０やその周囲の汚れを使用者が視認し難い。
【００２３】
また、小便器の使用者は、使用の際に腰前方は他人の視線から見えないようにしておきたいが、手元は確認できるようにしたい。上述した先行技術文献に示された小便器では、使用者が便鉢面に近づくと吐水具や便鉢面に衣服などが接触するおそれがあるため、便鉢面に近づきにくく、小便器の左右両側からの他人の視線を十分に遮ることができない。これに対して、この小便器は、距離Ｌ１が距離Ｌ２の約１／８であるため、小便器の左右両側からの他人の視線を遮ることができ、かつ、上方からの使用者の手元の視認性は確保することができる。
【００２４】
また、この小便器は、図６に示すように、第２交点Ｐ２と第３交点Ｐ３との間隔Ｇ１〜Ｇ３が、便鉢１０の立面部１１の左右中央部よりも左右両端部の方が狭い。第２交点Ｐ２は、上方から見た上面視において、便鉢１０の左右前端ＦＬ，ＦＲを直線状に結んだ第２仮想線Ｉ２の中心Ｃ１から便鉢面１０Ａに向けて直線状に延びた第３仮想線Ｉ３と隠蔽部１５の前端とが交差する点である。第３交点Ｐ３は、上方から見た上面視において、第２交点Ｐ２を決めた際と同じ第３仮想線Ｉ３とスプレッダー５０の上下方向の中心Ｃ２（図４参照）を通る水平断面における便鉢面１０Ａとが交差する点である。スプレッダー５０の上下方向の中心Ｃ２は、図４に示すように、便鉢面１０Ａ上におけるスプレッダー５０の上下方向の中心である。つまり、スプレッダー５０の上下方向の中心Ｃ２を通る水平断面は、図４に示される矢視Ｖ−Ｖ断面である。
【００２５】
便鉢１０の立面部１１の左右中央部における第２交点Ｐ２と第３交点Ｐ３との間隔Ｇ１，Ｇ２の夫々は略同じである。一方、便鉢１０の立面部１１の左右両端部における第２交点Ｐ２と第３交点Ｐ３との間隔Ｇ３は、便鉢１０の立面部１１の左右中央部における間隔Ｇ１，Ｇ２に比べて狭い。このように、この小便器は、第２交点Ｐ２と第３交点Ｐ３との間隔Ｇ１〜Ｇ３が、便鉢１０の立面部１１の左右中央部よりも左右両端部の方が狭いため、隠蔽部１５が邪魔になり難く、清掃を良好に行うことができる。
【００２６】
また、この小便器は、図７に示すように、施工された状態の左右中央断面視において、距離Ｌ３が距離Ｌ４の約１／２である。この小便器は、施工された状態の左右中央断面視において、便鉢１０の左右前端は上方向かって後方に傾斜した上下方向に直線状に延びた直線部１０Ｃを有している。距離Ｌ３は第４交点Ｐ４から隠蔽部１５の最も後方に位置する前端までの距離である。第４交点Ｐ４は直線部１０Ｃ上に延びた第４仮想線Ｉ４と隠蔽部１５の最も後方に位置する前端を通り前後水平方向に直線状に延びた第５仮想線Ｉ５とが交差する点である。距離Ｌ４は第４交点Ｐ４から第５仮想線Ｉ５上に位置する小便器の左右後端（左右壁部３３の後端）までの距離である。
【００２７】
このように、この小便器は距離Ｌ３が距離Ｌ４の約１／２であるため、小便器の左右両側からの他人の視線を遮ることができ、かつ、上方からの使用者の手元の視認性は確保することができる。また、距離Ｌ３は距離Ｌ４の１／５〜３／５の範囲であるとよく、距離Ｌ３が大きい程、上方からの使用者の手元の視認性が良くなる。
【００２８】
また、この小便器は、図８に示すように、第６仮想線Ｉ６と第７仮想線Ｉ７とがなす角度Θが約１１°である。つまり、この小便器において、第７仮想線Ｉ７は第６仮想線Ｉ６に対して約１１°傾斜して延びている。第６仮想線Ｉ６は、小便器が施工された状態の左右中央断面視において、スプレッダー５０の最前端５０Ｘから垂直上方に直線状に延びた線である。第７仮想線Ｉ７は、小便器が施工された状態の左右中央断面視において、スプレッダー５０の最前端で第６仮想線Ｉ６に交差して直線状に延び、隠蔽部１５の最も後方に位置する前端に接する線である。
【００２９】
このように、この小便器は、第６仮想線Ｉ６と第７仮想線Ｉ７とがなす角度Θが約１１°であるため、使用者が便鉢面１０Ａに近づきやすいと共に、使用者が便鉢面１０Ａに近づくと使用者の衣服などがスプレッダー５０や便鉢面１０Ａよりも先に隠蔽部１５に接触するため、使用者の衣服などがスプレッダー５０や便鉢面１０Ａに接触しにくく、使用者は便鉢面１０Ａに安心して近づくことができる。また、この小便器は、上方から見た上面視において、スプレッダー５０が隠蔽部１５によって隠蔽されているため、スプレッダー５０に使用者等の唾がかかりにくく、スプレッダー５０やその周囲の汚れを使用者が視認し難い。なお、第７仮想線Ｉ７が第６仮想線Ｉ６に交差する角度Θは、０°よりも大きく４５°よりも小さい範囲、より好ましくは５°よりも大きく３５°よりも小さい範囲であるとよい。
【００３０】
＜実施形態２＞
実施形態２の小便器は、図９〜図１２に示すように、隠蔽部１１５の形状が実施形態１と相違する。他の構成は実施形態１と同様であり、同じ構成は同じ符号を付して詳細な説明を省略する。
【００３１】
実施形態２の隠蔽部１１５は、図９，図１１及び図１２に示すように、便鉢１０の立面部１１の上端部から前方に突出しており、上側傾斜面１１５Ａと下側傾斜面１１５Ｂとを有した凸部である。上側傾斜面１１５Ａは、上壁部３１の上面３１Ａの前端縁に連続し、前方に向けて斜め下方に傾斜している。下側傾斜面１１５Ｂは、上側傾斜面１１５Ａの下端縁に連続し、後方に向けて斜め下方に傾斜している。左右中央断面における隠蔽部１１５は、図１１及び図１２に示すように、上側傾斜面１１５Ａの方が下側傾斜面１１５Ｂに比べて上下方向の幅が広い。また、隠蔽部１５の上側傾斜面１１５Ａと下側傾斜面１１５Ｂとが接続されている頂部（隠蔽部１１５の前端）１１５Ｐは、左右中央から左右両側に向けて徐々に低くなっている。さらに、隠蔽部１１５の下側傾斜面１１５Ｂと便鉢面１０Ａの上端との接続部分も左右中央から左右両側に向けて徐々に低くなっている。このため、隠蔽部１１５は左右中央よりも左右両側に向けて上下方向の幅が広くなっている。
【００３２】
隠蔽部１１５の上側傾斜面１１５Ａは、図１０に示すように、上方から見た上面視において、左右中央部が左右両端部よりも後方に位置する湾曲形状である。この隠蔽部１１５は、上方から見た上面視において、後述するスプレッダー５０を隠蔽している。隠蔽部１１５を凸部で形成することによって、小便器のデザインがすっきりとすると共に、スプレッダー５０を隠蔽する隠蔽部１１５を容易に形成することができる。
【００３３】
この隠蔽部１１５は、図１３（Ａ）〜（Ｄ）に示すように、便鉢１０の立面部１１が形成する便鉢面１０Ａの上端部からの突出量が左右中央部よりも左右両端部の方が小さい。詳しくは、図１３（Ａ）には図１０の矢視Ｗ−Ｗ断面（左右中央よりも左側の断面）の隠蔽部１１５が示されており、図１３（Ｂ）には図１０の矢視Ｘ−Ｘ断面（矢視Ｗ−Ｗ断面よりも左側の断面）の隠蔽部１１５が示されており、図１３（Ｃ）には図１０の矢視Ｙ−Ｙ断面（矢視Ｘ−Ｘ断面よりも左側の断面）の隠蔽部１１５が示されており、図１３（Ｄ）には図１０の矢視Ｚ−Ｚ断面（矢視Ｙ−Ｙ断面よりも左側の断面）の隠蔽部１１５が示されている。これら図１３（Ａ）〜（Ｄ）に示すように、図１０の矢視Ｗ−Ｗ断面における隠蔽部１１５の突出量Ｔ１に比べて、図１０の矢視Ｘ−Ｘ断面の隠蔽部１１５の突出量Ｔ２の方が小さい。同様に、図１０の矢視Ｘ−Ｘ断面の隠蔽部１１５の突出量Ｔ２に比べて、矢視Ｙ−Ｙ断面の隠蔽部１１５の突出量Ｔ３の方が小さい。同様に、図１０の矢視Ｙ−Ｙの隠蔽部１１５の突出量Ｔ３に比べて、図１０の矢視Ｚ−Ｚ断面である図１３（Ｄ）に示される隠蔽部１１５の突出量Ｔ４の方が小さい。
【００３４】
このように、この小便器は、便鉢面１０Ａの上端部からの突出量が左右中央部よりも左右両端部の方が小さく隠蔽部１１５が形成されているため、小便器を使用する際、便鉢１０の上部の左右において、隠蔽部１１５が邪魔になり難く、使用者が便鉢面１０Ａの中央に向けて手を持っていきやすい。
【００３５】
この小便器は、図１２に示すように、距離Ｌ１が距離Ｌ２の約１／８である。距離Ｌ１は、小便器が施工された状態の左右中央断面視において、スプレッダー５０の最前端と隠蔽部１５の最も後方に位置する前端（頂部１１５Ｐ）との水平方向の距離である。距離Ｌ２は、小便器が施工された状態の左右中央断面視において、スプレッダー５０の最前端とこの最前端から前後水平方向に直線状に伸びた第１仮想線Ｉ１が便鉢１０の左右前端に交差する第１交点Ｐ１までの距離である。
【００３６】
このように、この小便器は、距離Ｌ１が距離Ｌ２の約１／８であるため、使用者が便鉢面１０Ａに近づきやすいと共に、使用者が便鉢面１０Ａに近づくと使用者の衣服などがスプレッダー５０や便鉢面１０Ａよりも先に隠蔽部１５に接触するため、使用者の衣服などがスプレッダー５０や便鉢面１０Ａに接触しにくく、使用者は便鉢面１０Ａに安心して近づくことができる。また、この小便器は、上方から見た上面視において、スプレッダー５０が隠蔽部１５によって隠蔽されているため、スプレッダー５０に使用者等の唾がかかりにくく、スプレッダー５０やその周囲の汚れを使用者が視認し難い。
【００３７】
また、小便器の使用者は、使用の際に腰前方は他人の視線から見えないようにしておきたいが、手元は確認できるようにしたい。上述した先行技術文献に示された小便器では、使用者が便鉢面に近づくと吐水具や便鉢面に衣服などが接触するおそれがあるため、便鉢面に近づきにくく、小便器の左右両側からの他人の視線を十分に遮ることができない。これに対して、この小便器は、距離Ｌ１が距離Ｌ２の約１／８であるため、小便器の左右両側からの他人の視線を遮ることができ、かつ、上方からの使用者の手元の視認性は確保することができる。
【００３８】
また、この小便器は、図１３に示すように、第２交点Ｐ２と第３交点Ｐ３との間隔Ｇ１〜Ｇ３が、便鉢１０の立面部１１の左右中央部よりも左右両端部の方が狭い。第２交点Ｐ２は、上方から見た上面視において、便鉢１０の左右前端ＦＬ，ＦＲを直線状に結んだ第２仮想線Ｉ２の中心Ｃ１から便鉢面１０Ａに向けて直線状に延びた第３仮想線Ｉ３と隠蔽部１５の前端とが交差する点である。第３交点Ｐ３は、上方から見た上面視において、第２交点Ｐ２を決めた際と同じ第３仮想線Ｉ３とスプレッダー５０の上下方向の中心Ｃ２（図１２参照）を通る水平断面における便鉢面１０Ａとが交差する点である。スプレッダー５０の上下方向の中心Ｃ２は、図１２に示すように、便鉢面１０Ａ上におけるスプレッダー５０の上下方向の中心である。つまり、スプレッダー５０の上下方向の中心Ｃ２を通る水平断面は、図１２に示される矢視Ｖ−Ｖ断面である。
【００３９】
便鉢１０の立面部１１の左右中央部における第２交点Ｐ２と第３交点Ｐ３との間隔Ｇ１よりも間隔Ｇ２の方が僅かに広い。一方、便鉢１０の立面部１１の左右両端部における第２交点Ｐ２と第３交点Ｐ３との間隔Ｇ３は、便鉢１０の立面部１１の左右中央部における間隔Ｇ１，Ｇ２のいずれに比べても狭い。このように、この小便器は、第２交点Ｐ２と第３交点Ｐ３との間隔Ｇ１〜Ｇ３が、便鉢１０の立面部１１の左右中央部よりも左右両端部の方が狭いため、隠蔽部１５が邪魔になり難く、清掃を良好に行うことができる。
【００４０】
また、この小便器は、図１５に示すように、施工された状態の左右中央断面視において、距離Ｌ３が距離Ｌ４の約１／２である。この小便器は、施工された状態の左右中央断面視において、便鉢１０の左右前端は上方向かって後方に傾斜した上下方向に直線状に延びた直線部１０Ｃを有している。距離Ｌ３は第４交点Ｐ４から隠蔽部１５の最も後方に位置する前端までの距離である。第４交点Ｐ４は直線部１０Ｃ上に延びた第４仮想線Ｉ４と隠蔽部１５の最も後方に位置する前端を通り前後水平方向に直線状に延びた第５仮想線Ｉ５とが交差する点である。距離Ｌ４は第４交点Ｐ４から第５仮想線Ｉ５上に位置する小便器の左右後端（左右壁部３３の後端）までの距離である。
【００４１】
このように、この小便器は距離Ｌ３が距離Ｌ４の約１／２であるため、小便器の左右両側からの他人の視線を遮ることができ、かつ、上方からの使用者の手元の視認性は確保することができる。また、距離Ｌ３は距離Ｌ３の１／５〜３／５の範囲であるとよく、距離Ｌ３が大きい程、上方からの使用者の手元の視認性が良くなる。
【００４２】
また、この小便器は、図１６に示すように、第６仮想線Ｉ６と第７仮想線Ｉ７とがなす角度Θが約１７°である。つまり、この小便器において、第７仮想線Ｉ７は第６仮想線Ｉ６に対して約１７°傾斜して延びている。第６仮想線Ｉ６は、小便器が施工された状態の左右中央断面視において、スプレッダー５０の最前端５０Ｘから垂直上方に直線状に延びた線である。第７仮想線Ｉ７は、小便器が施工された状態の左右中央断面視において、スプレッダー５０の最前端５０Ｘで第６仮想線Ｉ６に交差して直線状に延び、隠蔽部１１５の最も後方に位置する前端（頂部１１５Ｐ）に接する線である。
【００４３】
このように、この小便器は、第６仮想線Ｉ６と第７仮想線Ｉ７とがなす角度Θが約１７°であるため、使用者が便鉢面１０Ａに近づきやすいと共に、使用者が便鉢面１０Ａに近づくと使用者の衣服などがスプレッダー５０や便鉢面１０Ａよりも先に隠蔽部１５に接触するため、使用者の衣服などがスプレッダー５０や便鉢面１０Ａに接触しにくく、使用者は便鉢面１０Ａに安心して近づくことができる。また、この小便器は、上方から見た上面視において、スプレッダー５０が隠蔽部１５によって隠蔽されているため、スプレッダー５０に使用者等の唾がかかりにくく、スプレッダー５０やその周囲の汚れを使用者が視認し難い。なお、第７仮想線Ｉ７が第６仮想線Ｉ６に交差する角度Θは、０°よりも大きく４５°よりも小さい範囲、より好ましくは５°よりも大きく３５°よりも小さい範囲であるとよい。
【００４４】
＜実施形態３＞
実施形態３の小便器は、図１７に示すように、便鉢１０の隠蔽部２１５及びスプレッダー２５０の形状、スプレッダー２５０の取付け位置が実施形態１及び２と相違する。実施形態１等と同じ構成は同じ符号を付して詳細な説明を省略する。
【００４５】
実施形態３の隠蔽部２１５は、図１７に示すように、正面壁部２１７と連結壁部２１９とを有している。正面壁部２１７は、小便器が施工された状態の左右中央断面視において、便鉢面１０Ａよりも前方に設けられ、上面が周壁部の上壁部を構成する蓋部材２３０の上面と面一で前方に向けた僅かに下方に傾斜して延びており、前面が垂直方向に延びている。正面壁部２１７は赤外線式の人体検知センサの赤外線の送受信窓７１が取り付けられている。人体検知センサの本体部７０は正面壁部２１７の後側に収納されている。
【００４６】
連結壁部２１９は正面壁部２１７の下端部と便鉢１０の立面部１１の上端部とを連結している。この連結壁部２１９は、小便器が施工された状態の左右中央断面視において、後方に向けて斜め下方に傾斜している。また、この連結壁部２１９は上下方向に貫通した貫通孔２１１Ａが形成されている。
【００４７】
スプレッダー２５０は隠蔽部２１５の連結壁部２１９の便鉢面１０Ａ側に取り付けられている。スプレッダー２５０は下部２５０Ａと上部２５０Ｂとを有している。スプレッダー２５０の下部２５０Ａは後端部に左右に延びたスリット状の吐水口２５２が形成されている。スプレッダー２５０の下部２５０Ａは吐水口２５２が便鉢面１０Ａの近傍に位置するように便鉢１０に取り付けられている。
【００４８】
この小便器は、距離Ｌ１が距離Ｌ２の約１／４である。距離Ｌ１は、小便器が施工された状態の左右中央断面視において、スプレッダー２５０の最前端と隠蔽部２１５の正面壁部２１７の前端（最も後方に位置する前端）との水平方向の距離である。距離Ｌ２は、小便器が施工された状態の左右中央断面視において、スプレッダー２５０の最前端とこの最前端から前後水平方向に直線状に延びた第１仮想線Ｉ１が便鉢１０の左右前端に交差する第１交点Ｐ１までの距離である。
【００４９】
このように、この小便器は、距離Ｌ１が距離Ｌ２の約１／４であるため、使用者が便鉢面１０Ａに近づきやすいと共に、使用者が便鉢面１０Ａに近づくと使用者の衣服などがスプレッダー２５０や便鉢面１０Ａよりも先に隠蔽部２１５に接触するため、使用者の衣服などがスプレッダー２５０や便鉢面１０Ａに接触しにくく、使用者は便鉢面１０Ａに安心して近づくことができる。また、この小便器は、上方から見た上面視において、スプレッダー２５０が隠蔽部２１５によって隠蔽されているため、スプレッダー２５０に使用者等の唾がかかりにくく、スプレッダー２５０やその周囲の汚れを使用者が視認し難い。
【００５０】
また、小便器の使用者は、使用の際に腰前方は他人の視線から見えないようにしておきたいが、手元は確認できるようにしたい。上述した先行技術文献に示された小便器では、使用者が便鉢面に近づくと吐水具や便鉢面に衣服などが接触するおそれがあるため、便鉢面に近づきにくく、小便器の左右両側からの他人の視線を十分に遮ることができない。これに対して、この小便器は、距離Ｌ１が距離Ｌ２の約１／４であるため、小便器の左右両側からの他人の視線を遮ることができ、かつ、上方からの使用者の手元の視認性は確保することができる。
【００５１】
以上説明したように実施形態１〜３の小便器は、便鉢１０と、この便鉢１０に取り付けられ、便鉢面１０Ａを洗浄する洗浄水を吐水するスプレッダー５０，２５０と、を備えている。便鉢１０は、施工された状態の上方から見た上面視において、スプレッダー５０，２５０を隠蔽する隠蔽部１５，１１５，２１５を有している。また、この小便器は、施工された状態の左右中央断面視において、スプレッダー５０，２５０の最前端と隠蔽部１５，１１５，２１５の最も後方に位置する前端との水平方向の距離Ｌ１が、スプレッダー５０，２５０の最前端とこの最前端から前後水平方向に直線状に延びた第１仮想線Ｉ１が便鉢１０の左右前端に交差する第１交点Ｐ１との距離Ｌ２の１／８又は１／４である。このため、実施形態１〜３の小便器は、使用者が便鉢面１０Ａに近づきやすいと共に、使用者が便鉢面１０Ａに近づくと使用者の衣服などがスプレッダー５０，２５０や便鉢面１０Ａよりも先に隠蔽部１５に接触するため、使用者の衣服などがスプレッダー５０，２５０や便鉢面１０Ａに接触しにくく、使用者は便鉢面１０Ａに安心して近づくことができる。また、実施形態１〜３の小便器は、上方から見た上面視において、スプレッダー５０，２５０が隠蔽部１５，１１５，２１５によって隠蔽されているため、スプレッダー５０，２５０に使用者等の唾がかかりにくく、スプレッダー５０，２５０やその周囲の汚れを使用者が視認し難い。また、実施形態１〜３の小便器は、小便器の左右両側からの他人の視線を遮ることができ、かつ、上方からの使用者の手元の視認性は確保することができる。
【００５２】
また、実施形態１及び２の小便器の隠蔽部１５、１１５は、施工された状態において、左右方向に延びた凸部である。このため、実施形態１及び２の小便器は、デザインがすっきりとすると共に、スプレッダー５０，２５０を隠蔽する隠蔽部１５を容易に形成することができる。
【００５３】
また、実施形態１及び２の小便器の隠蔽部１５，１１５は便鉢面１０Ａからの突出量が左右中央部よりも左右両端部の方が小さい。このため、実施形態１及び２の小便器は、使用者が使用する際、便鉢１０の上部の左右において、隠蔽部１５，１１５が邪魔になり難く、清掃を良好に行うことができる。
【００５４】
また、実施形態１の小便器の隠蔽部１５は下面の中間面１５Ｂが水平に形成された水平面である。つまり、この隠蔽部１５は水平に形成された水平面を具備する下面を有している。このため、実施形態１の小便器は、隠蔽部１５の上面から前面１５Ａを伝った水などの液体が中間面１５Ｂで下方に落ち易く、隠蔽部１５の後端面１５Ｃ側に流れにくくなっているため、隠蔽部１５の下面及び便鉢面１０Ａのスプレッダー５０よりも上方において、隠蔽部１５の上面から伝う水などの液体による水垢や汚れの付着を防止することができる。
【００５５】
また、実施形態１及び２の小便器は、施工された状態の上方から見た上面視において、便鉢１０の左右前端を直線状に結んだ第２仮想線Ｉ２の中心から便鉢面１０Ａに向けて直線状に延びた第３仮想線Ｉ３と隠蔽部１５，１１５の前端とが交差する第２交点Ｐ２と、同じ第３仮想線Ｉ３とスプレッダー５０の上下方向の中心を通る水平断面における便鉢面１０Ａとが交差する第３交点Ｐ３との間隔が、便鉢１０の左右中央部よりも左右両端部の方が狭い。このため、実施形態１及び２の小便器は、使用者が使用する際、便鉢１０の上部の左右において、隠蔽部１５，１１５が邪魔になり難く、清掃を良好に行うことができる。
【００５６】
また、実施形態１及び２の小便器は、施工された状態において、便鉢１０よりも上方で拡がり、前方に向けて斜め下方に傾斜した上壁部３１を備えている。このため、実施形態１及び２の小便器は、便鉢１０よりも後方において上壁部３１よりも下方の空間を上下方向に広くすることができる。このため、スプレッダー５０の取付け空間及び作業空間などを上部に確保することができるため、便鉢１０の高い位置にスプレッダー５０を取り付けることができ、スプレッダー５０を隠蔽部１５，１１５で隠蔽しつつ、便鉢面１０Ａの洗浄範囲を広げることができる。
【００５７】
また、実施形態１及び２の小便器は、施工された状態の左右中央断面視において、便鉢１０の左右前端は、上下方向に直線状に延びた直線部１０Ｃを有している。また、これら小便器は、直線部１０Ｃ上に延びた第４仮想線Ｉ４と隠蔽部１５，１１５の最も後方に位置する前端を通り前後水平方向に直線状に延びた第５仮想線Ｉ５とが交差する第４交点Ｐ４から隠蔽部１５，１１５の最も後方に位置する前端までの距離が、第４交点Ｐ４から第５仮想線Ｉ５上に位置する小便器の左右後端（左右壁部３３の後端）までの距離の約１／２である。このため、実施形態１及び２の小便器は、小便器の左右両側からの他人の視線を遮ることができ、かつ、上方からの使用者の手元の視認性は確保することができる。また、距離Ｌ３は距離Ｌ４の１／６〜４／５の範囲であるとよく、より２／５〜３／５の範囲だとよい。距離Ｌ３が大きい程、上方からの使用者の手元の視認性が良くなる。
【００５８】
本発明は上記記述及び図面によって説明した実施形態１〜３に限定されるものではなく、例えば次のような実施形態も本発明の技術的範囲に含まれる。
（１）実施形態１〜３では、施工された状態の左右中央断面視において、スプレッダーの最前端と隠蔽部の最も後方に位置する前端との水平方向の距離Ｌ１が、スプレッダーの最前端とこの最前端から前後水平方向に直線状に延びた第１仮想線Ｉ１が便鉢の左右前端に交差する第１交点Ｐ１との距離Ｌ２の１／８又は１／４であったが、距離Ｌ１は、距離Ｌ２の半分以下であれば良く、好ましくは１／４以下、さらに好ましくは１／８以下であればよい。
（２）実施形態１及び２では、隠蔽部の便鉢面からの突出量を左右中央部よりも左右両端部の方を小さくしたが、左右全体において同じ突出量であってもよい。
（３）実施形態１では、隠蔽部が水平に形成された水平面を具備する下面を有していたが、水平面を有していなくてもよい。
（４）実施形態１及び２では、前方に向けて斜め下方に傾斜した上壁部を備えていたが、水平に広がっていたり、上壁部が上方に膨らんでいたりしてもよい。
（５）実施形態１及び２では、隠蔽部が便鉢の立面部の上端部に左右方向の略全体に亘って左右方向に延びていたが、スプレッダーの上方に設けられていればよく、左右方向の略全体に亘って左右方向に延びていなくてもよい。
【符号の説明】
【００５９】
１０…便鉢
１０Ａ…便鉢面
１５，１１５，２１５…隠蔽部
３１…上壁部
５０，２５０…スプレッダー（吐水具）
１１５Ａ…上側傾斜面
１１５Ｂ…下側傾斜面
Ｉ１…第１仮想線
Ｉ２…第２仮想線
Ｉ３…第３仮想線
Ｐ１…第１交点
Ｐ２…第２交点
Ｐ３…第３交点
【図１】
2020193525.tif 000003
【図２】
2020193525.tif 000004
【図３】
2020193525.tif 000005
【図４】
2020193525.tif 000006
【図５】
2020193525.tif 000007
【図６】
2020193525.tif 000008
【図７】
2020193525.tif 000009
【図８】
2020193525.tif 000010
【図９】
2020193525.tif 000011
【図１０】
2020193525.tif 000012
【図１１】
2020193525.tif 000013
【図１２】
2020193525.tif 000014
【図１３】
2020193525.tif 000015
【図１４】
2020193525.tif 000016
【図１５】
2020193525.tif 000017
【図１６】
2020193525.tif 000018
【図１７】
2020193525.tif 000019